(57)【要約】【課題】この発明は、記録媒体から種々の形態の情報を読み取ることができ、限られた設置空間を有効に利用することができる現金自動預払機を提供する。【解決手段】所定の位置における記録媒体Ｃに表示されている表示情報Ｄ１を読み取る第一読取センサ１と、所定の位置における記録媒体Ｃから、記録媒体Ｃに記憶されている記憶情報Ｄ２を読み取る第二読取センサ２と、を備え、第一読取センサ１は、第二読取センサ２よりも上方に配置されている。【選択図】図１
2019105991.tif 000002
【特許請求の範囲】
【請求項１】
所定の位置における媒体に表示されている表示情報を読み取る第一読取センサと、
前記所定の位置における媒体から、前記媒体に記憶されている記憶情報を読み取る第二読取センサと、を備え、
前記第一読取センサは、前記第二読取センサよりも上方に配置されている現金自動預払機。
【請求項２】
前記第一読取センサは、前記第二読取センサと対向している請求項１に記載の現金自動預払機。
【請求項３】
前記所定の位置における媒体を支え、前記所定の位置を示す案内を表示する台座をさらに備える請求項１または２に記載の現金自動預払機。
【請求項４】
前記第二読取センサは、前記台座に内蔵されている請求項３に記載の現金自動預払機。
【請求項５】
前記表示情報と前記記憶情報とを比較することにより、前記媒体が正常な媒体であるか判定する認証部をさらに備える請求項１から４のいずれか一項に記載の現金自動預払機。
【請求項６】
前記所定の位置における記録媒体を、前記第一読取センサの撮影方向とは異なる撮影方向から読み取る第一撮影手段と、
前記表示情報と前記第一撮影手段により読み取られた情報とを合成して、前記媒体の表面の画像を生成する合成部と、
をさらに備える請求項１から５のいずれか一項に記載の現金自動預払機。
【請求項７】
前記第一撮影手段は、カード挿入口および紙葉類投入口の少なくとも一方の撮影と同時に、前記所定の位置における媒体を撮影する請求項６に記載の現金自動預払機。
【請求項８】
ユーザを撮影して、前記ユーザの顔の画像を取得する第二撮影手段と、
前記取得されたユーザの顔の画像が、前記表示情報または前記記憶情報に含まれる顔の画像と一致するか判定する判定部と、
をさらに備える請求項１から７のいずれか一項に記載の現金自動預払機。
【請求項９】
所定の位置における媒体に表示されている表示情報を読み取る第一読取センサと、
前記所定の位置における媒体から、前記媒体に記憶されている記憶情報を読み取る第二読取センサと、を備え、
前記第一読取センサは、前記第二読取センサよりも上方に配置されている端末装置。
【請求項１０】
第一読取センサによって、所定の位置における媒体に表示されている表示情報を読み取り、
第二読取センサによって、前記所定の位置における媒体から、前記媒体に記憶されている記憶情報を読み取る
ことを含み、
前記第一読取センサは、前記第二読取センサよりも上方に配置されている、
媒体読取方法。
【発明の詳細な説明】
【技術分野】
【０００１】
本発明は、媒体から種々の情報を読み取ることができる現金自動預払機（ＡＴＭ：Automatic Teller Machine）、端末装置、および媒体読取方法に関する。
【背景技術】
【０００２】
この種の現金自動預払機でのデータ読取りに関連した技術として特許文献１〜３に開示の技術が知られている。
特許文献１に示される顧客操作型端末装置には、顧客操作表示部の画面上に、帳票や身分証明書といった読取対象の載置エリアを設け、この載置エリアの上方から、読取対象上に示される表示情報を読取るダイレクトスキャナや電子カメラ等の読取手段を配置した構成が示される。
特許文献２に示されるセルフＰＯＳシステム（ＰＯＳ：Point of sale system）では、商品のバーコードを読み取るために設けられた固定スキャナと、この固定スキャナの上部に、前方に張り出して設けられた電子マネーマルチリーダ（複数規格対応の非接触ＩＣカードリーダ）とを有する構成が示される。
特許文献３に示される画像形成装置では、使用者が自身のスマートフォンなどの携帯端末を、装置本体上の通信部に対向するようにかざすことによって、該携帯端末内に保存されたデータを近距離無線通信（ＮＦＣ：Near Field Communication）により装置本体に送信する構成が示されている。
【先行技術文献】
【特許文献】
【０００３】
【特許文献１】特開２００５−１８４３６１号公報
【特許文献２】特開２０１２−５９３０１号公報
【特許文献３】特開２０１４−１０６４８１号公報
【発明の概要】
【発明が解決しようとする課題】
【０００４】
特許文献１〜３には、装置内に設けられたデータ読取機器により記録媒体に含まれた情報を読み取る技術が示されている。
しかしながら、データ読取機器により読み取られる記録媒体には、目視できる表示情報、電子データとして記憶される記憶情報といった種々の形態の情報が含まれる。
【０００５】
このため、特許文献１〜３に示される技術では、これら種々の形態の情報に対応して、多種多様なデータ読取部を設ける必要があり、その結果、構成が複雑化するという問題が生じていた。
一方、特許文献１〜３が適用可能な現金自動預払機（ＡＴＭ）は、狭い空間に配置されるため、読取装置を配置可能な場所が限定されてしまい、複数種の情報の取得を狭い空間で実現することが求められていた。
【０００６】
この発明は、上述した事情に鑑みてなされた。本発明の目的は、上述した課題のいずれかを解決することができる現金自動預払機、端末装置、および媒体読取方法を提供することである。
【課題を解決するための手段】
【０００７】
本発明の実施態様に係る現金自動預払機は、所定の位置における媒体に表示されている表示情報を読み取る第一読取センサと、前記所定の位置における媒体から、前記媒体に記憶されている記憶情報を読み取る第二読取センサと、を備える。前記第一読取センサは、前記第二読取センサよりも上方に配置されている。
【０００８】
本発明の実施態様に係る端末装置は、所定の位置における媒体に表示されている表示情報を読み取る第一読取センサと、前記所定の位置における媒体から、前記媒体に記憶されている記憶情報を読み取る第二読取センサと、を備える。前記第一読取センサは、前記第二読取センサよりも上方に配置されている。
【０００９】
本発明の実施態様に係る媒体読取方法は、第一読取センサによって、所定の位置における媒体に表示されている表示情報を読み取り、第二読取センサによって、前記所定の位置における媒体から、前記媒体に記憶されている記憶情報を読み取ることを含む。前記第一読取センサは、前記第二読取センサよりも上方に配置されている。
【発明の効果】
【００１０】
本発明の実施形態によれば、所定の位置における媒体の表示情報を読み取る第一読取センサが、所定の位置における媒体の記憶情報を読み取る第二読取センサよりも上方に配置されているので、限られた設置空間で種々の形態の情報を読み取ることができる。
【図面の簡単な説明】
【００１１】
【図１】本発明の第１の実施形態に係る現金自動預払機の概略構成を示す図である。
【図２】本発明の第２の実施形態に係る現金自動預払機を示す図であって、（Ａ）は現金自動預払機の全体図であり、（Ｂ）は図２（Ａ）の操作部を拡大した図（図２（Ａ）における（Ｂ）の部分）である。
【図３】記録媒体Ｃの一例として示したＩＣ（Integrated Circuit）カードを示す図であって、（Ａ）は表側、（Ｂ）は裏側を示している。
【図４】記録媒体Ｃの一例として示したスマートフォンを示す図である。
【図５】図２に示す現金自動預払機の主に情報管理部を示すブロック図である。
【図６】図５に示す情報管理部による制御フローを示す図である。
【発明を実施するための形態】
【００１２】
（第１の実施形態）
本発明の第１の実施形態に係る現金自動預払機１００について、図１を参照して説明する。現金自動預払機１００は、端末装置の一例である。以下においては、具体例として、現金自動預払機１００について説明するが、本発明の実施形態は現金自動預払機に適用することに限定されない。本発明の実施形態は、種々の端末装置に適用してもよい。
現金自動預払機１００は、第一読取センサ１と、第二読取センサ２とを具備する。第一読取センサ１は、所定位置となる読取位置（α）にて、記録媒体（媒体）Ｃの表面に表示されている表示情報Ｄ１を読み取る。第二読取センサ２は、記録媒体Ｃに記憶されている記憶情報Ｄ２を読み取る。これら表示情報Ｄ１および記憶情報Ｄ２は、いずれも記録媒体Ｃに含まれる。
【００１３】
第一読取センサ１は、第二読取センサ２よりも上方に配置されている。
【００１４】
以上のように構成された現金自動預払機１００によれば、読取位置（α）における記録媒体Ｃに表示されている表示情報Ｄ１を読み取る第一読取センサ１と、記録媒体Ｃに記憶されている記憶情報Ｄ２を読み取る第二読取センサ２とを備えるとともに、第一読取センサ１を第二読取センサ２よりも上方に配置した。
これにより、例えば、読取位置（α）にて、第一読取センサ１としてスキャナカメラ、バーコードリーダなどの光学読取装置を設け、かつ第二読取センサ２として近距離無線通信器（ＮＦＣ）などの記憶データ読取装置を設けることで、読取位置（α）にて多くの情報を取得することが可能となる。
【００１５】
すなわち、第１の実施形態に係る現金自動預払機１００では、読取位置（α）にて、記録媒体Ｃの表示情報Ｄ１および記憶情報Ｄ２といった、種々の形態の情報を読み取ることができる。その結果、現金自動預払機１００では、限られた設置空間を有効に利用することができ、装置全体の小型化を実現することができる。
さらに、第１の実施形態では、同じ読取位置（α）から複数種類の情報が取得できるため、種類の情報ごとに別の位置で情報を取得する構成に比べてユーザにより高い利便性を提供できる。
加えて、関連技術においては、複数種類の情報ごとに読取位置の変更を必要とする場合がある。このような場合には、読取位置ごとに記録媒体を別の記録媒体に変更し得る。これに対して、第１の実施形態では、複数種類の情報ごとの読取位置の変更を必要としないので、複数種類の情報ごとに記録媒体を変更することを防止できる。このため、第１の実施形態によれば、複数種類の情報をより確実に同一の記録媒体から取得できるので、不正な記録媒体の使用をより高い精度で認知でき、ゆえに、セキュリティの向上が見込めるという利点がある。
【００１６】
（第２の実施形態）
本発明の第２の実施形態に係る現金自動預払機１０１について、図２〜図６を参照して説明する。現金自動預払機１０１は端末装置の一例である。以下においては、具体例として、現金自動預払機１０１について説明するが、本発明の実施形態は現金自動預払機に適用することに限定されない。本発明の実施形態は、種々の端末装置に適用してもよい。
図２（Ａ）は現金自動預払機１０１の全体を示す図である。図２（Ｂ）は図２（Ａ）の操作部を拡大した図である。
現金自動預払機１０１は、現金の入金および出金処理を行う装置本体部２０と、装置本体部２０の前面側に設けられて現金の預け払いを操作可能な操作部２１と、を有する。
【００１７】
操作部２１は、装置本体部２０の上部位置に設けられた第一パネル２２および第二パネル２３、装置本体部２０の中間位置に設けられたテンキー２４、カード挿入口２５、レシート口２６、記録媒体読取部２７、紙幣受渡口２８、検知カメラ（スキマー検知カメラ、第一撮像手段、第一撮像装置）２９、人感センサ３０、監視カメラ（第二撮像手段、第二撮像装置）３１などを有する。
【００１８】
第一パネル２２は、利用者により操作されるタッチ式の操作パネルである。
第二パネル２３は第一パネル２２の上側に位置して、現金自動預払機であることを示すともに、利用可能なカード情報等を示す表示ディスプレイである。
【００１９】
カード挿入口２５は紙幣の入出金に使用されるカードを挿入するための開口部である。
紙幣受渡口２８は紙幣の投入および払出しを行う紙幣口であって、図示しないシャッタが開となったときに、利用者により、紙幣の出し入れがなされる。紙幣受渡口２８は、紙葉類投入口の一例であってもよい。
【００２０】
検知カメラ２９は、カード挿入口２５および紙幣受渡口２８、またはその付近での不正行為を監視するために設けられる撮影装置である。
この検知カメラ２９は、カード挿入口２５付近等での不正行為の監視とともに、第一読取センサ１１（後述する）の読取方向とは異なる方向から、記録媒体読取部２７の読取位置（α）に配された記録媒体Ｃの表示情報Ｄ１を読み取ることができる。例えば、検知カメラ２９は、カード挿入口２５付近におけるスキマーの設置を監視するための画像を撮影してもよい。
【００２１】
人感センサ３０は、操作部２１の正面に利用者がいるか否かを検知するための検知器である。
監視カメラ３１は、操作部２１の正面に設けられる撮像装置である。監視カメラ３１は、人感センサ３０が人を検知したときに、操作部２１の正面に立つ利用者を撮影する。
この監視カメラ３１で取得した顔情報は、第一読取センサ１１（後述する）で読み取った記録媒体Ｃの表示情報Ｄ１中の顔情報と比較することができる。
【００２２】
装置本体部２０内には、第一パネル２２、テンキー２４、カード挿入口２５および記録媒体読取部２７で入力された情報を処理するデータ処理装置、データ処理装置からの信号に基づいて紙幣受渡口２８に対する紙幣の出し入れおよびチャージ等を行う入出金装置、レシート口２６から出すレシートを印刷する印刷装置などが設置されている。
【００２３】
次に、操作部２１に設置された記録媒体読取部２７について、図２（Ｂ）〜図６を参照して説明する。
記録媒体読取部２７には、図２（Ｂ）に示されるように、所定位置となる読取位置（α）にて、記録媒体Ｃの表面に表示されている表示情報Ｄ１を読み取る第一読取センサ１１と、記録媒体Ｃに記憶されている記憶情報Ｄ２を読み取る第二読取センサ１２と、が具備されている。
この記録媒体読取部２７には読取部本体となる台座２７Ａが設けられており、この台座２７Ａの上面の読取位置（α）にて、利用者の手作業により記録媒体Ｃが載置、タッチまたはかざされる。台座２７Ａは、その上面に載置された記録媒体Ｃを下から支える。
【００２４】
第一読取センサ１１は、台座２７Ａから離れた第二読取センサ１２よりも上方に配置され、かつ第二読取センサ１２と対向するように設置されている。第一読取センサ１１は、記録媒体Ｃの表面に表示されている表示情報Ｄ１を上方から読み取る。
第一読取センサ１１としてスキャナカメラ、バーコードリーダなどの光学読取装置が設置されている。第一読取センサ１１は、スキャナカメラとバーコードリーダとの両方を有していてもよい。第一読取センサ１１は、スキャナカメラとバーコードリーダとのうちの一方のみを有していてもよい。
第一読取センサ１１がカメラである場合、第一読取センサ１１が記録媒体Ｃから所定距離以上離れていることが好ましい。すなわち、第一読取センサ１１が記録媒体Ｃの配置される台座２７Ａの上面から所定距離以上離れていることが好ましい。その理由は、第一読取センサ１１のカメラと記録媒体Ｃとの距離が離れていると、第一読取センサ１１のカメラの画角内に記録媒体Ｃを納めやすいためである。
【００２５】
第二読取センサ１２は、台座２７Ａ内に内蔵されている。第二読取センサ１２は、記録媒体Ｃに記憶されている記憶情報Ｄ２を下方から読み取る。
第二読取センサ１２として、記憶データ読取装置が設置されている。記憶データ読取装置は、近距離無線通信器（ＮＦＣ）であってもよく、ＮＦＣのアンテナであってもよい。
第二読取センサ１２がＮＦＣである場合、第二読取センサ１２が記録媒体Ｃの近くに配置されていることが好ましい。すなわち、第二読取センサ１２が記録媒体Ｃの配置される台座２７Ａの上面の近くに配置されていることが好ましい。その理由は、第二読取センサ１２のＮＦＣ（のアンテナ）と記録媒体Ｃとの距離が近い方が、第二読取センサ１２のＮＦＣが記憶情報Ｄ２をより容易に読み取れるためである。
上述のように、第一読取センサ１１がカメラである場合、第一読取センサ１１が記録媒体Ｃ（台座２７Ａの上面）から離れていることが好ましい。第二読取センサ１２がＮＦＣの場合、第二読取センサ１２が記録媒体Ｃ（台座２７Ａの上面）の近くに配置されていることが好ましい。ゆえに、第一読取センサ１１がカメラでありかつ第二読取センサ１２がＮＦＣである場合、第一読取センサ１１と記録媒体Ｃ（台座２７Ａの上面）との距離が、第二読取センサ１２と記録媒体Ｃ（台座２７Ａの上面）との距離よりも長いことが好ましい。
【００２６】
記録媒体読取部２７の台座２７Ａには、利用者に対して案内を行うための案内表示部２７Ｂが設けられている。
この案内表示部２７Ｂは、台座２７Ａの上縁部に設置される。案内表示部２７Ｂとしては、利用者に対して記録媒体Ｃに関する案内が可能な液晶ディスプレイ（ＬＣＤ：liquid crystal display）等の表示装置を用いてもよい。記録媒体Ｃに関する案内は、例えば、記録媒体Ｃを載置すべき位置を示す案内、載置やタッチを促す案内、記録媒体Ｃの利用が不可であることを示す案内であってもよい。記録媒体Ｃに関する案内は、静止画であってもよく、動画であってもよい。図２Ｂに示す例において、案内表示部２７Ｂは、案内として、記録媒体Ｃであるカードを載置すべき位置を示す枠を点線で表示している。
【００２７】
次に、記録媒体読取部２７で読み取られる記録媒体Ｃについて、図３および図４を参照して説明する。
図３は、記録媒体Ｃの一例としてＩＣカードの表裏面を示す図である。図３（Ａ）は、ＩＣカードの表面（第１面）を示す。ＩＣカードの表面には、スキャナカメラ、バーコードリーダなどの光学読取装置からなる第一読取センサ１１で読み取り可能な表示情報Ｄ１が示されている。表示情報Ｄ１は、カード番号、氏名、住所、バーコード、顔写真などであってもよい。
図３（Ｂ）は、ＩＣカードの裏面（第２面）を示す。図３（Ｂ）は、近距離無線通信器（ＮＦＣ）などの記憶データ読取装置からなる第二読取センサ１２で読み取り可能なＩＣチップ３２が示されている。ＩＣチップ３２は、記録媒体Ｃ内に埋め込まれている。このＩＣチップ３２の集積回路は、記憶情報Ｄ２を記憶している。記憶情報Ｄ２は、口座番号やクレジットカード番号などのＡＴＭにおける取引に必要な情報を記憶していてもよい。記憶情報Ｄ２は、記録媒体Ｃ上の表示情報Ｄ１に関連した情報、例えば、口座番号や使用者の顔を示す情報を含んでもよい。
記録媒体Ｃは、各種の電子マネーカード、キャッシュカード、ポイントカード、マイナンバーカード、免許書、パスポート、請求書や振込用紙などの各種伝票、スマートフォン、ＩＣチップなどであってもよい。
【００２８】
図４は、記録媒体Ｃの一例であるスマートフォンを示す。スマートフォンの表側の表示画像３３には、表示情報Ｄ１として、第一読取センサ１１で読み取り可能なＱＲ（Quick Response）コード（登録商標）３４が表示されている。
スマートフォンの内部には、かつ第二読取センサ１２で読み取り可能な記憶情報Ｄ２を有するＩＣチップ３５が内蔵されている。
【００２９】
利用者は、スマートフォンの表示画像３３に電子マネー等に対応したＱＲコード３４を表示させ、そのＱＲコード３４を第一読取センサ１１に向けることで、表示情報Ｄ１を第一読取センサ１１に読み取らせることができる。同様に、利用者は、スマートフォン背面のＩＣチップ３５を、記録媒体読取部２７内の第二読取センサ１２に載せる、かざすまたはタッチすることで、第二読取センサ１２に記憶情報Ｄ２を読み取らせることができる。
【００３０】
次に、図５を参照して、現金自動預払機１０１の情報管理部４０について説明する。
図５に示すように、現金自動預払機１０１は、記録媒体読取部２７で読み取られる媒体情報を管理する情報管理部４０を具備する。情報管理部４０は、表示情報読取部４１、記憶情報読取部４２、表示制御部４３、合成部４４、顔判定部（判定部）４５、および認証部４６を有している。情報管理部４０は、表示情報読取部４１等が有する機能を実現するプログラムをＣＰＵ（Central Processing Unit）などのプロセッサが実行することにより実現されてもよい。
図５に示す例おいては、第一読取センサ１１が、スキャナカメラ１１Ａおよびバーコードリーダ１１Ｂを有する。
【００３１】
表示情報読取部４１は、人感センサ３０がＯＮとなった状態（人感センサ３０が人を検知している状態）で、記録媒体読取部２７の読取位置（α）に配された記録媒体Ｃの表示情報Ｄ１を第一読取センサ１１に読み取らせる。人感センサ３０の設置は必須ではなく、表示情報読取部４１は、任意のタイミングで、表示情報Ｄ１を第一読取センサ１１に読み取らせてもよい。
記憶情報読取部４２は、人感センサ３０がＯＮとなった状態で、記録媒体読取部２７の読取位置（α）に配された記録媒体Ｃの記憶情報Ｄ２を第二読取センサ１２に読み取らせる。人感センサ３０の設置は必須ではなく、記憶情報読取部４２は、任意のタイミングで、記憶情報Ｄ２を第二読取センサ１２に読み取らせてもよい。
表示制御部４３は、案内表示部２７Ｂに対して各種表示を行わせる。例えば、表示制御部４３は、人感センサ３０がＯＮとなったときに、「記録媒体読取部に媒体を置いて下さい」などの案内を案内表示部２７Ｂに表示させる。人感センサ３０の設置は必須ではなく、表示制御部４３は、任意のタイミングで、案内表示部２７Ｂに対して各種表示を行わせてもよい。また、表示制御部４３は、表示情報読取部４１，記憶情報読取部４２での読取結果に応じて「読み取りできません」や「第一パネルで操作して下さい」といった案内を案内表示部２７Ｂに表示させる。
【００３２】
合成部４４は、記録媒体読取部２７の読取位置（α）に配された記録媒体Ｃの表示情報Ｄ１を、記録媒体読取部２７の第一読取センサ１１と、検知カメラ２９とにより読み取らせる。さらに、合成部４４は、これら読取情報を合成して、記録媒体Ｃの表面の画像を生成する。この合成部４４は、記録媒体読取部２７の第一読取センサ１１での読取エラーを可能な限り減少させるために設けられる。例えば、記録媒体Ｃに対して蛍光灯などの光が映り込むことがある。光の映り込みによる影響は撮像方向に応じて異なる。ここで、第一読取センサ１１の撮像方向と検知カメラ２９の撮像方向とは異なる。よって、第一読取センサ１１によって読みられた記録媒体Ｃの表面の画像の一部が光の映り込みによる影響により不完全な場合に、検知カメラ２９によって読みられた記録媒体Ｃの表面の画像で不完全である部分を補うことができる。
【００３３】
顔判定部４５は、監視カメラ３１で取得した利用者の顔画像が、記録媒体読取部２７の第一読取センサ１１で取得した表示情報Ｄ１の顔画像に一致しているか否かを判定する。顔判定部４５は、監視カメラ３１で取得した利用者の顔画像が記録媒体読取部２７の第一読取センサ１１で取得した表示情報Ｄ１の顔画像に一致していないと判定した場合、記録媒体Ｃを用いた取引を中止する。監視カメラ３１で取得した利用者の顔画像が記録媒体読取部２７の第一読取センサ１１で取得した表示情報Ｄ１の顔画像に一致していない場合は、記録媒体Ｃが正当でない利用者により使用されている可能性があるためである。
【００３４】
次に、図６を参照して、情報管理部４０の認証部４６の制御フローについて、ステップＳ毎に説明する。
【００３５】
（ステップＳ１）
人感センサ３０の検知により利用者が現金自動預払機１０１の操作部２１に近づいたことを検知した場合に、記録媒体読取部２７の読取センサ１１および１２、第一撮影装置となる検知カメラ２９、第二撮影装置となる監視カメラ３１を読取可能な待機状態とする。
【００３６】
（ステップＳ２）
利用者が記録媒体読取部２７の読取位置（α）に記録媒体Ｃを配した場合に、記録媒体読取部２７の第一読取センサ１１により記録媒体Ｃの表示情報Ｄ１を取得、および／または第二読取センサ１２により該記録媒体Ｃの記憶情報Ｄ２を取得する。同時に、検知カメラ２９、監視カメラ３１においても必要な情報を収集する。
【００３７】
（ステップＳ３）
認証部４６は、ステップＳ２で取得した記録媒体Ｃの表示情報Ｄ１と記憶情報Ｄ２とが一致しているか否かを判断する。認証部４６は、記録媒体Ｃの表示情報Ｄ１と記憶情報Ｄ２とが一致している場合（ステップＳ３においてＹＥＳ）、記録媒体Ｃが正常（正当、本物）であると判断し、ステップＳ４に進む。認証部４６は、記録媒体Ｃの表示情報Ｄ１と記憶情報Ｄ２とが一致していない場合（ステップＳ３においてＮＯ）、記録媒体Ｃが正常（正当、本物）でないと判断し、ステップＳ５に進む。
例えば、記録媒体Ｃがキャッシュカードである場合、認証部４６は、表示情報Ｄ１に含まれる口座番号と、記憶情報Ｄ２に含まれる口座番号とが一致しているか否か比較することによりキャッシュカードを認証する。より具体的には、表示情報Ｄ１に含まれる口座番号と記憶情報Ｄ２に含まれる口座番号とが一致している場合、認証部４６はキャッシュカードが正常であると判定する。表示情報Ｄ１に含まれる口座番号と記憶情報Ｄ２に含まれる口座番号とが一致していない場合、認証部４６はキャッシュカードが異常であると判定する。
別法として、認証部４６は、さらに、顔判定部４５での利用者の顔判定結果も利用して、処理をステップＳ４とステップＳ５とのいずれに進めるかを決定してもよい。例えば、認証部４６は、記録媒体Ｃが正常であると判断し、かつ、監視カメラ３１で取得した利用者の顔画像が、記録媒体読取部２７の第一読取センサ１１で取得した表示情報Ｄ１の顔画像に一致している場合のみ、ステップＳ４に進める。一方で、記録媒体Ｃが正常であると判断した場合であっても、監視カメラ３１で取得した利用者の顔画像が記録媒体読取部２７の第一読取センサ１１で取得した表示情報Ｄ１の顔画像に一致していない場合は、ステップＳ５に進める。
認証部４６は、記録媒体Ｃの表示情報Ｄ１と記憶情報Ｄ２とが一致しているか否かを判断するとともに、または、これに代えて、これら表示情報Ｄ１および／または記憶情報Ｄ２を、ネットワークを介して現金自動預払機１０１に接続された管理センター（外部装置）５０に照会することで、記録媒体Ｃが正常であるか否かを判断してもよい。
【００３８】
（ステップＳ４）
処理がステップＳ４に進んだ場合、第一パネル２２が、利用者に操作に応じた入金、出金、残高照会、チャージ、支払いなどの操作を行わせるように誘導する。その後、記録媒体読取部２７の認証部４６に係る制御フローを終了する。
【００３９】
（ステップＳ５）
処理がステップＳ５に進んだ場合、案内表示部２７Ｂや第一パネル２２が記録媒体読取部２７の読取位置（α）に配された記録媒体Ｃが受け入れられないことを示す表示（案内）する。その後、記録媒体読取部２７の認証部４６に係る制御フローを終了する。
【００４０】
以上のように構成された現金自動預払機１０１によれば、所定の読取位置（α）における記録媒体Ｃに表示されている表示情報Ｄ１を読み取る第一読取センサ１１と、記録媒体Ｃに記憶されている記憶情報Ｄ２を読み取る第二読取センサ１２とを備えるとともに、第一読取センサ１１を第二読取センサ１２よりも上方に配置した。
これにより、上記現金自動預払機１０１では、例えば、記録媒体読取部２７の読取位置（α）にて、第一読取センサ１１としてスキャナカメラ、バーコードリーダなどの光学読取装置を設け、かつ第二読取センサ１２として近距離無線通信器（ＮＦＣ）などの記憶データ読取装置を設けることで、その読取位置（α）にて多くの情報を取得することが可能となる。
【００４１】
すなわち、上記現金自動預払機１０１では、記録媒体読取部２７の読取位置（α）にて、記録媒体Ｃに記憶されている表示情報Ｄ１および記憶情報Ｄ２等、種々の形態の情報を読み取ることができる。
その結果、上記現金自動預払機１０１では、限られた設置空間を有効に利用することができ、装置全体の小型化を実現することができる。
さらに、本発明の第２の実施形態では、同じ読取位置（α）にて複数種類の情報が取得できるため、種類の情報ごとに別の位置で情報を取得する構成に比べてユーザにより高い利便性を提供できる。
加えて、関連技術においては、複数種類の情報ごとに読取位置の変更を必要とする場合がある。このような場合には、読取位置ごとに記録媒体を別の記録媒体に変更し得る。これに対して、第２の実施形態では、複数種類の情報ごとの読取位置の変更を必要としないので、複数種類の情報ごとに記録媒体を変更することを防止できる。このため、第２の実施形態によれば、複数種類の情報をより確実に同一の記録媒体から取得できるので、不正な記録媒体の使用をより高い精度で認知でき、ゆえに、セキュリティの向上が見込めるという利点がある。
【００４２】
（変形例１）
上記第２の実施形態では、第一読取センサ１１としてスキャナカメラ、バーコードリーダなどの複数の光学読取装置を設けているが、本発明の実施形態はこのような場合に限定されない。高画質な撮影装置などを用いることで、第一読取センサ１１を１つの機器で実現しても良い。
【００４３】
（変形例２）
上記第２の実施形態では、第一読取センサ１１を第二読取センサ１２よりも上方かつ対向して配置すると説明したが、本発明の実施形態はこのような場合に限定されない。
例えば、第一読取センサ１１は、記録媒体Ｃを読み取れる範囲において、第二読取センサ１２に対して水平方向にずれて配置されていてもよい。第一読取センサ１１と第二読取センサ１２とが上下逆になっていてもよい。
第一読取センサ１１および第二読取センサ１２が記録媒体Ｃを読み取れる範囲内に配置されていれば、第一読取センサ１１および第二読取センサ１２の位置は任意であってもよい。
第一読取センサ１１と第二読取センサ１２との両方が、記録媒体Ｃよりも上方に配置されていてもよい。第一読取センサ１１と第二読取センサ１２との両方が、記録媒体Ｃよりも下方に配置されていてもよい。第一読取センサ１１と第二読取センサ１２との両方が、記録媒体Ｃに対して水平方向にずれていてもよい。
【００４４】
以上、本発明の実施形態について図面を参照して詳述したが、具体的な構成はこれらの実施形態に限られるものではなく、本発明の要旨を逸脱しない範囲の設計変更等も含まれる。
【００４５】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
【００４６】
上記の実施形態の一部または全部は、以下の付記のようにも記載されうるが、以下には限られない。
【００４７】
（付記１）
所定の位置における媒体に表示されている表示情報を読み取る第一読取センサと、
前記所定の位置における媒体から、前記媒体に記憶されている記憶情報を読み取る第二読取センサと、を備え、
前記第一読取センサは、前記第二読取センサよりも上方に配置されている現金自動預払機。
【００４８】
（付記２）
前記第一読取センサは、前記第二読取センサと対向している付記１に記載の現金自動預払機。
【００４９】
（付記３）
前記所定の位置における媒体を支え、前記所定の位置を示す案内を表示する台座をさらに備える付記１または２に記載の現金自動預払機。
【００５０】
（付記４）
前記第二読取センサは、前記台座に内蔵されている付記３に記載の現金自動預払機。
【００５１】
（付記５）
前記記憶情報は、前記媒体の集積回路に記憶されている付記１から４のいずれか一項に記載の現金自動預払機。
【００５２】
（付記６）
前記第一読取センサは、前記所定の位置における媒体の上方から、前記表示情報を読み取り、
前記第二読取センサは、前記所定の位置における媒体の下方から、前記記憶情報を読み取る付記１から５のいずれか一項に記載の現金自動預払機。
【００５３】
（付記７）
前記表示情報と前記記憶情報とを比較することにより、前記媒体が正常な媒体であるか判定する認証部をさらに備える付記１から６のいずれか一項に記載の現金自動預払機。
【００５４】
（付記８）
前記所定の位置における記録媒体を、前記第一読取センサの撮影方向とは異なる撮影方向から読み取る第一撮影手段と、
前記表示情報と前記第一撮影手段により読み取られた情報とを合成して、前記媒体の表面の画像を生成する合成部と、
をさらに備える付記１から７のいずれか一項に記載の現金自動預払機。
【００５５】
（付記９）
前記第一撮影手段は、カード挿入口および紙葉類投入口の少なくとも一方の撮影と同時に、前記所定の位置における媒体を撮影する付記８に記載の現金自動預払機。
【００５６】
（付記１０）
ユーザを撮影して、前記ユーザの顔の画像を取得する第二撮影手段と、
前記取得されたユーザの顔の画像が、前記表示情報または前記記憶情報に含まれる顔の画像と一致するか判定する判定部と、
をさらに備える付記１から９のいずれか一項に記載の現金自動預払機。
【００５７】
（付記１１）
所定の位置における媒体に表示されている表示情報を読み取る第一読取センサと、
前記所定の位置における媒体から、前記媒体に記憶されている記憶情報を読み取る第二読取センサと、を備え、
前記第一読取センサは、前記第二読取センサよりも上方に配置されている端末装置。
【００５８】
（付記１２）
第一読取センサによって、所定の位置における媒体に表示されている表示情報を読み取り、
第二読取センサによって、前記所定の位置における媒体から、前記媒体に記憶されている記憶情報を読み取る
ことを含み、
前記第一読取センサは、前記第二読取センサよりも上方に配置されている、
媒体読取方法。
【産業上の利用可能性】
【００５９】
本発明は、現金自動預払機、端末装置、および媒体読取方法に適用してもよい。
【符号の説明】
【００６０】
１  第一読取センサ
２  第二読取センサ
１１  第一読取センサ
１２  第二読取センサ
２０  装置本体部
２１  操作部
２７  記録媒体読取部
２７Ａ  台座
２７Ｂ  案内表示部
２９  検知カメラ
３１  監視カメラ
Ｃ  記録媒体
Ｄ１  表示情報
Ｄ２  記憶情報
１００  現金自動預払機
１０１  現金自動預払機
【図１】
2019105991.tif 000003
【図２】
2019105991.tif 000004
【図３】
2019105991.tif 000005
【図４】
2019105991.tif 000006
【図５】
2019105991.tif 000007
【図６】
2019105991.tif 000008
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
所定の位置における媒体に表示されている表示情報を読み取る第一読取センサと、
前記所定の位置における媒体から、前記媒体に記憶されている記憶情報を読み取る第二読取センサと、
前記表示情報と前記記憶情報とを比較することにより、前記媒体が正常な媒体であるか判定する認証部と、を備え、
前記第一読取センサは、前記第二読取センサよりも上方に配置されている現金自動預払機。
【請求項２】
前記第一読取センサは、前記第二読取センサと対向している請求項１に記載の現金自動預払機。
【請求項３】
前記所定の位置における媒体を支え、前記所定の位置を示す案内を表示する台座をさらに備える請求項１または２に記載の現金自動預払機。
【請求項４】
前記第二読取センサは、前記台座に内蔵されている請求項３に記載の現金自動預払機。
【請求項５】
前記所定の位置における記録媒体を、前記第一読取センサの撮影方向とは異なる撮影方向から読み取る第一撮影手段と、
前記表示情報と前記第一撮影手段により読み取られた情報とを合成して、前記媒体の表面の画像を生成する合成部と、
をさらに備える請求項１から４のいずれか一項に記載の現金自動預払機。
【請求項６】
前記第一撮影手段は、カード挿入口および紙葉類投入口の少なくとも一方の撮影と同時に、前記所定の位置における媒体を撮影する請求項５に記載の現金自動預払機。
【請求項７】
ユーザを撮影して、前記ユーザの顔の画像を取得する第二撮影手段と、
前記取得されたユーザの顔の画像が、前記表示情報または前記記憶情報に含まれる顔の画像と一致するか判定する判定部と、
をさらに備える請求項１から６のいずれか一項に記載の現金自動預払機。
【請求項８】
所定の位置における媒体に表示されている表示情報を読み取る第一読取センサと、
前記所定の位置における媒体から、前記媒体に記憶されている記憶情報を読み取る第二読取センサと、
前記表示情報と前記記憶情報とを比較することにより、前記媒体が正常な媒体であるか判定する認証部と、を備え、
前記第一読取センサは、前記第二読取センサよりも上方に配置されている端末装置。
【請求項９】
第一読取センサによって、所定の位置における媒体に表示されている表示情報を読み取り、
第二読取センサによって、前記所定の位置における媒体から、前記媒体に記憶されている記憶情報を読み取り、
前記表示情報と前記記憶情報とを比較することにより、前記媒体が正常な媒体であるか判定する
ことを含み、
前記第一読取センサは、前記第二読取センサよりも上方に配置されている、
媒体読取方法。
【手続補正２】
【補正対象書類名】明細書
【補正対象項目名】０００７
【補正方法】変更
【補正の内容】
【０００７】
本発明の実施態様に係る現金自動預払機は、所定の位置における媒体に表示されている表示情報を読み取る第一読取センサと、前記所定の位置における媒体から、前記媒体に記憶されている記憶情報を読み取る第二読取センサと、前記表示情報と前記記憶情報とを比較することにより、前記媒体が正常な媒体であるか判定する認証部と、を備える。前記第一読取センサは、前記第二読取センサよりも上方に配置されている。
【手続補正３】
【補正対象書類名】明細書
【補正対象項目名】０００８
【補正方法】変更
【補正の内容】
【０００８】
本発明の実施態様に係る端末装置は、所定の位置における媒体に表示されている表示情報を読み取る第一読取センサと、前記所定の位置における媒体から、前記媒体に記憶されている記憶情報を読み取る第二読取センサと、前記表示情報と前記記憶情報とを比較することにより、前記媒体が正常な媒体であるか判定する認証部と、を備える。前記第一読取センサは、前記第二読取センサよりも上方に配置されている。
【手続補正４】
【補正対象書類名】明細書
【補正対象項目名】０００９
【補正方法】変更
【補正の内容】
【０００９】
本発明の実施態様に係る媒体読取方法は、第一読取センサによって、所定の位置における媒体に表示されている表示情報を読み取り、第二読取センサによって、前記所定の位置における媒体から、前記媒体に記憶されている記憶情報を読み取り、前記表示情報と前記記憶情報とを比較することにより、前記媒体が正常な媒体であるか判定することを含む。前記第一読取センサは、前記第二読取センサよりも上方に配置されている。